(57)【特許請求の範囲】
【請求項１】
投入状態又は遮断状態への調整のためのハンドルが挿入される挿入孔が形成された少なくとも２つの開閉器スイッチを含むリングメインユニットのインターロック装置であって、
前記挿入孔の前方に配置され、１つの前記挿入孔は開放されて他の前記挿入孔は閉鎖されるように移動するプレートと、
それぞれの前記開閉器スイッチに備えられ、前記開閉器スイッチの投入状態又は遮断状態への調整に連動して回転するインジケータと、
それぞれの前記開閉器スイッチに備えられ、前記インジケータの回転に従って前記プレートの移動を防止して１つの前記挿入孔の開放状態と他の前記挿入孔の閉鎖状態が維持されるようにする移動防止部材とを含み、
前記移動防止部材は、前記プレートが１つの前記挿入孔は開放されて他の前記挿入孔は閉鎖されるように移動した状態で前記開閉器スイッチが投入状態に調整されると、前記インジケータの回転に従って移動して前記プレートに嵌められることにより前記プレートの移動を防止し、１つの前記挿入孔の開放状態と他の前記挿入孔の閉鎖状態が維持されるようにする、リングメインユニットのインターロック装置。
【請求項２】
前記プレートが嵌められた状態で移動できるように移動経路を提供する第１及び第２ガイド部材をさらに含む、請求項１に記載のリングメインユニットのインターロック装置。
【請求項３】
前記第１ガイド部材の両側には、前記プレートが移動可能に嵌められる第１ガイド孔が形成され、前記第２ガイド部材には、前記プレートが移動可能に嵌められる第２ガイド孔が形成される、請求項２に記載のリングメインユニットのインターロック装置。
【請求項４】
前記プレートには把持部が形成され、
前記第１ガイド部材には前記把持部が移動する移動孔が形成され、
前記把持部が前記移動孔を移動することにより前記プレートがそれぞれの前記挿入孔を開放又は閉鎖するように移動する、請求項２又は３に記載のリングメインユニットのインターロック装置。
【請求項５】
前記移動防止部材は、固定部材に嵌められて上下に移動する、請求項１〜４のいずれか一項に記載のリングメインユニットのインターロック装置。
【請求項６】
前記固定部材は、
前記移動防止部材が貫通する上部板貫通孔が形成された上部板と、
前記上部板の一端から下方に延設された中心板と、
前記中心板の一端から前記上部板と平行に延設され、前記移動防止部材が貫通する下部板貫通孔が形成された下部板とから構成される、請求項５に記載のリングメインユニットのインターロック装置。
【請求項７】
前記移動防止部材は、前記上部板貫通孔及び前記下部板貫通孔を貫通して配置される本体部と、前記本体部の上方に傾斜して延設された傾斜部とから構成され、
前記インジケータには、前記傾斜部に隣接してピン部が形成され、
前記インジケータが回転すると前記ピン部が前記傾斜部を押圧して前記本体部が前記プレートに嵌められる、請求項６に記載のリングメインユニットのインターロック装置。
【請求項８】
前記上部板と前記下部板間には、前記本体部に嵌められるように弾性部材が備えられる、請求項７に記載のリングメインユニットのインターロック装置。
【請求項９】
前記プレートには、前記本体部が嵌められる複数の嵌合孔が形成され、
前記プレートが１つの前記挿入孔は開放されて他の前記挿入孔は閉鎖されるように移動した状態で前記本体部が前記嵌合孔に嵌められることにより、それぞれの前記挿入孔の開放状態又は閉鎖状態が維持される、請求項７又は８に記載のリングメインユニットのインターロック装置。
【請求項１０】
前記プレートには、開放孔が形成され、
前記本体部が前記嵌合孔に嵌められて前記プレートの移動が防止されると、１つの前記挿入孔は前記開放孔が前方に位置することになって開放状態になると共に他の前記挿入孔は前記プレートの一端が前方に位置することになって閉鎖状態になる、請求項９に記載のリングメインユニットのインターロック装置。
【発明の詳細な説明】
【技術分野】
【０００１】
本発明は、リングメインユニット（RING MAIN UNIT）のインターロック装置に関し、特に、隣接して配置される複数の開閉器スイッチの状態調整を制御するリングメインユニットのインターロック装置に関する。
【背景技術】
【０００２】
一般に、リングメインユニットは、受配電施設から送られた電力を需要家に配電するときに用いる電気系統の監視、制御及び保護のために使用される装置であり、ＳＦ6ガスにより密閉絶縁される構造物内に遮断器、開閉器、接地、導体類などが含まれる集合体で構成される。
【０００３】
このようなリングメインユニットは、遮断器、負荷開閉器、ヒューズ、断路器などを備え、各回路を保護するためにケーブルカバーが着脱される。
【０００４】
図７は従来のリングメインユニットに備えられた複数の開閉器スイッチを示す概略構成図である。
【０００５】
図７を参照すると、従来のリングメインユニットに備えられた複数の開閉器スイッチ１１、１２には独立した異なる電源供給源から電源が供給されるが、一方の開閉器スイッチ１１は電源供給源に常時接続されている状態にあり、それに隣接して配置された開閉器スイッチ１２は事故発生を防止するために電源供給源に接続されていない状態にある。
【発明の概要】
【発明が解決しようとする課題】
【０００６】
しかし、このような従来のリングメインユニットにおいては、隣接して配置される各開閉器スイッチ１１、１２がどちらも電源供給源に接続されることを防止するインターロック装置が備えられないので、両開閉器スイッチ１１、１２が電源供給源に接続されて異なる位相を有する電源の引き込みによる電位差によりリングメインユニットの絶縁性能が低下し、短絡事故などが頻繁に発生するという問題があった。
【０００７】
本発明は、このような問題を解決するためになされたものであり、隣接して配置される複数の開閉器スイッチの状態調整を制御するリングメインユニットのインターロック装置を提供することを目的とする。
【課題を解決するための手段】
【０００８】
本発明の上記目的は、投入状態又は遮断状態への調整のためのハンドルが挿入される挿入孔が形成された少なくとも２つの開閉器スイッチを含むリングメインユニットのインターロック装置であって、前記挿入孔の前方に配置され、１つの前記挿入孔は開放されて他の前記挿入孔は閉鎖されるように移動するプレートと、それぞれの前記開閉器スイッチに備えられ、前記開閉器スイッチの投入状態又は遮断状態への調整に連動して回転するインジケータと、それぞれの前記開閉器スイッチに備えられ、前記インジケータの回転に従って前記プレートの移動を防止して１つの前記挿入孔の開放状態と他の前記挿入孔の閉鎖状態が維持されるようにする移動防止部材とを含む、リングメインユニットのインターロック装置を提供することにより達成することができる。
【０００９】
また、前記移動防止部材は、前記プレートが１つの前記挿入孔は開放されて他の前記挿入孔は閉鎖されるように移動した状態で前記開閉器スイッチが投入状態に調整されると、前記インジケータの回転に従って移動して前記プレートに嵌められることにより前記プレートの移動を防止し、１つの前記挿入孔の開放状態と他の前記挿入孔の閉鎖状態が維持されるようにしてもよい。
【００１０】
さらに、前記インターロック装置は、前記プレートが嵌められた状態で移動できるように移動経路を提供する第１及び第２ガイド部材をさらに含むようにしてもよい。
【００１１】
さらに、前記第１ガイド部材の両側には、前記プレートが移動可能に嵌められる第１ガイド孔が形成され、前記第２ガイド部材には、前記プレートが移動可能に嵌められる第２ガイド孔が形成されるようにしてもよい。
【００１２】
さらに、前記プレートには把持部が形成され、前記第１ガイド部材には前記把持部が移動する移動孔が形成され、前記把持部が前記移動孔を移動することにより前記プレートがそれぞれの前記挿入孔を開放又は閉鎖するように移動するようにしてもよい。
【００１３】
さらに、前記移動防止部材は、固定部材に嵌められて上下に移動するようにしてもよい。
【００１４】
さらに、前記固定部材は、前記移動防止部材が貫通する上部板貫通孔が形成された上部板と、前記上部板の一端から下方に延設された中心板と、前記中心板の一端から前記上部板と平行に延設され、前記移動防止部材が貫通する下部板貫通孔が形成された下部板とから構成されるようにしてもよい。
【００１５】
さらに、前記移動防止部材は、前記上部板貫通孔及び前記下部板貫通孔を貫通して配置される本体部と、前記本体部の上方に傾斜して延設された傾斜部とから構成され、前記インジケータには、前記傾斜部に隣接してピン部が形成され、前記インジケータが回転すると前記ピン部が前記傾斜部を押圧して前記本体部が前記プレートに嵌められるようにしてもよい。
【００１６】
さらに、前記上部板と前記下部板間には、前記本体部に嵌められるように弾性部材が備えられるようにしてもよい。
【００１７】
さらに、前記プレートには、前記本体部が嵌められる複数の嵌合孔が形成され、前記プレートが１つの前記挿入孔は開放されて他の前記挿入孔は閉鎖されるように移動した状態で前記本体部が前記嵌合孔に嵌められることにより、それぞれの前記挿入孔の開放状態又は閉鎖状態が維持されるようにしてもよい。
【００１８】
さらに、前記プレートには、開放孔が形成され、前記本体部が前記嵌合孔に嵌められて前記プレートの移動が防止されると、１つの前記挿入孔は前記開放孔が前方に位置することになって開放状態になると共に他の前記挿入孔は前記プレートの一端が前方に位置することになって閉鎖状態になるようにしてもよい。
【発明の効果】
【００１９】
本発明によるリングメインユニットのインターロック装置においては、リングメインユニットに備えられた隣接する複数の開閉器スイッチ間に備えられ、１つの開閉器スイッチが投入状態に調整されて電源供給源に接続された場合、それに隣接して配置された他の開閉器スイッチは投入状態に調整されないようにすることにより、複数の開閉器スイッチが同時に電源供給源に接続されることを防止するという効果がある。
【００２０】
また、インターロック装置を用いて１つの開閉器スイッチのみ電源供給源に接続されるようにすることにより、複数の開閉器スイッチが電源供給源に接続されることによって発生するリングメインユニットの絶縁性能の低下や短絡事故の発生を防止するという効果がある。
【００２１】
さらに、インターロック装置を用いて機械的に複数の開閉器スイッチが同時に電源供給源に接続されることを防止するので、従来のロック装置を用いた場合のように使用者の判断ミスにより複数の開閉器スイッチが同時に電源供給源に接続されることを未然に防止するという効果がある。
【００２２】
さらに、インターロック装置に第１ガイド部材及び第２ガイド部材を備え、第１ガイド部材及び第２ガイド部材によりプレートを移動させて各挿入孔を開放又は閉鎖させることにより、開閉器スイッチの状態調整の制御が容易になるという効果がある。
【００２３】
さらに、プレートに把持部を形成し、把持部を用いてプレートを移動させることにより、プレートの位置調整が容易になるという効果がある。
【００２４】
さらに、移動防止部材に弾性部材を備えることにより、移動防止部材の移動が容易になるという効果がある。
【図面の簡単な説明】
【００２５】
【図１】本発明によるリングメインユニットのインターロック装置を示す斜視図である。
【図２】本発明によるリングメインユニットのインターロック装置を示す分解斜視図である。
【図３】本発明によるリングメインユニットのインターロック装置における一方の開閉器スイッチは投入状態に調整されて他方の開閉器スイッチは遮断状態に調整された状態を示す正面図である。
【図４】本発明によるリングメインユニットのインターロック装置における一方の開閉器スイッチは投入状態に調整されて他方の開閉器スイッチは遮断状態に調整された状態を示す正面透視図である。
【図５】本発明によるリングメインユニットのインターロック装置における一方の開閉器スイッチは遮断状態に調整されて他方の開閉器スイッチは投入状態に調整された状態を示す正面図である。
【図６】本発明によるリングメインユニットのインターロック装置における一方の開閉器スイッチは遮断状態に調整されて他方の開閉器スイッチは投入状態に調整された状態を示す正面透視図である。
【図７】従来のリングメインユニットに備えられた複数の開閉器スイッチを示す概略構成図である。
【発明を実施するための形態】
【００２６】
以下、添付図面を参照して本発明の一実施形態によるリングメインユニットのインターロック装置について詳細に説明する。
【００２７】
図１は本発明によるリングメインユニットのインターロック装置を示す斜視図であり、図２は本発明によるリングメインユニットのインターロック装置を示す分解斜視図であり、図３は本発明によるリングメインユニットのインターロック装置における一方の開閉器スイッチは投入状態に調整されて他方の開閉器スイッチは遮断状態に調整された状態を示す正面図であり、図４は本発明によるリングメインユニットのインターロック装置における一方の開閉器スイッチは投入状態に調整されて他方の開閉器スイッチは遮断状態に調整された状態を示す正面透視図であり、図５は本発明によるリングメインユニットのインターロック装置における一方の開閉器スイッチは遮断状態に調整されて他方の開閉器スイッチは投入状態に調整された状態を示す正面図であり、図６は本発明によるリングメインユニットのインターロック装置における一方の開閉器スイッチは遮断状態に調整されて他方の開閉器スイッチは投入状態に調整された状態を示す正面透視図である。
【００２８】
図１及び図２に示すように、本発明によるインターロック装置１００が備えられたリングメインユニットには、少なくとも２つの開閉器スイッチ、例えば、投入状態又は遮断状態への調整のためのハンドル（図示せず）が挿入される挿入孔３１０が形成された１つの開閉器スイッチ３００、及び開閉器スイッチ３００に隣接して配置されて投入状態又は遮断状態への調整のためのハンドルが挿入される挿入孔４１０が形成された他の開閉器スイッチ４００が備えられる。
【００２９】
本発明によるインターロック装置１００は、開閉器スイッチ３００、４００間に備えられ、各開閉器スイッチ３００、４００の状態調整を制御する。
【００３０】
インターロック装置１００は、プレート１１０、インジケータ１２０、１３０及び移動防止部材１４０、１５０を含む。
【００３１】
プレート１１０は、挿入孔３１０、４１０の前方に配置され、使用者の操作により、一方の挿入孔３１０は開放されて他方の挿入孔４１０は閉鎖されるように移動する。
【００３２】
インジケータ１２０は、開閉器スイッチ３００を駆動するメカニズム（図示せず）に接続されて開閉器スイッチ３００の投入状態又は遮断状態への調整に連動して回転する。また、インジケータ１３０は、開閉器スイッチ４００を駆動するメカニズム（図示せず）に接続されて開閉器スイッチ４００の投入状態又は遮断状態への調整に連動して回転する。
【００３３】
移動防止部材１４０は開閉器スイッチ３００に備えられ、移動防止部材１５０は開閉器スイッチ４００に備えられる。開閉器スイッチ３００に備えられた移動防止部材１４０は、プレート１１０により一方の挿入孔３１０は開放されて他方の挿入孔４１０は閉鎖された状態で開閉器スイッチ３００が投入状態に調整されると、インジケータ１２０の回転に従って下方に移動してプレート１１０に嵌められることによりプレート１１０の移動を防止し、一方の挿入孔３１０の開放状態と他方の挿入孔４１０の閉鎖状態が維持されるようにする。また、開閉器スイッチ４００に備えられた移動防止部材１５０は、プレート１１０により一方の挿入孔３１０は閉鎖されて他方の挿入孔４１０は開放された状態で開閉器スイッチ４００が投入状態に調整されると、インジケータ１３０の回転に従って下方に移動してプレート１１０に嵌められることによりプレート１１０の移動を防止し、一方の挿入孔３１０の閉鎖状態と他方の挿入孔４１０の開放状態が維持されるようにする。
【００３４】
インターロック装置１００は、第１ガイド部材１６０をさらに含み、プレート１１０が第１ガイド部材１６０に嵌められた状態で移動できるように移動経路を提供する。
【００３５】
また、第１ガイド部材１６０の両側には、プレート１１０が移動可能に嵌められる第１ガイド孔１６３が形成され、プレート１１０が第１ガイド孔１６３を貫通して配置された状態で使用者の操作により移動して挿入孔３１０、４１０の開放状態又は閉鎖状態を調整できるようになっている。
【００３６】
さらに、プレート１１０には把持部１１７が形成され、第１ガイド部材１６０には把持部１１７が移動する移動孔１６１が形成され、使用者の操作でプレート１１０が移動すると把持部１１７が移動孔１６１を移動することによりプレート１１０が各挿入孔３１０、４１０を開放又は閉鎖するように移動することになる。
【００３７】
インターロック装置１００は、プレート１１０が嵌められた状態でプレート１１０をガイドする第２ガイド部材２１０をさらに含んでもよい。
【００３８】
ここで、第２ガイド部材２１０には、プレート１１０が移動可能に嵌められる第２ガイド孔２１１が形成され、プレート１１０が第１ガイド孔１６３及び第２ガイド孔２１１に嵌められた状態で使用者の操作により移動するようになっている。
【００３９】
一方、移動防止部材１４０は、固定部材１７０に嵌められて上下に移動し、固定部材１７０は、上部板１７１、中心板１７３及び下部板１７５からなり、これと同様に、移動防止部材１５０は、固定部材１８０に嵌められて上下に移動し、固定部材１８０は、上部板１８１、中心板１８３及び下部板１８５からなる。
【００４０】
上部板１７１には、移動防止部材１４０が貫通する上部板貫通孔１７１ａが形成され、これと同様に、上部板１８１には、移動防止部材１５０が貫通する上部板貫通孔１８１ａが形成される。
【００４１】
中心板１７３は、上部板１７１の一端から下方に延設され、これと同様に、中心板１８３は、上部板１８１の一端から下方に延設される。
【００４２】
下部板１７５は、中心板１７３の一端から上部板１７１と平行に延設され、移動防止部材１４０が貫通する下部板貫通孔１７５ａが形成され、下部板１８５は、中心板１８３の一端から上部板１８１と平行に延設され、移動防止部材１５０が貫通する下部板貫通孔１８５ａが形成される。
【００４３】
よって、移動防止部材１４０、１５０が上部板貫通孔１７１ａ、１８１ａ及び下部板貫通孔１７５ａ、１８５ａを貫通して配置された状態でインジケータ１２０、１３０により力を受けて下方に移動することになる。
【００４４】
一方、移動防止部材１４０は、本体部１４３と傾斜部１４１とからなるが、本体部１４３は上部板貫通孔１７１ａ及び下部板貫通孔１７５ａを貫通して配置され、傾斜部１４１は本体部１４３の上方に傾斜して延設されてインジケータ１２０に隣接して配置される。これと同様に、移動防止部材１５０は、本体部１５３と傾斜部１５１とからなるが、本体部１５３は上部板貫通孔１８１ａ及び下部板貫通孔１８５ａを貫通して配置され、傾斜部１５１は本体部１５３の上方に傾斜して延設されてインジケータ１３０に隣接して配置される。
【００４５】
また、インジケータ１２０には、傾斜部１４１に隣接してピン部１２１が形成され、開閉器スイッチ３００の投入動作によりインジケータ１２０が回転するとピン部１２１が傾斜部１４１を押圧して本体部１４３が下方に移動してプレート１１０に嵌められる。これと同様に、インジケータ１３０には、傾斜部１５１に隣接してピン部１３１が形成され、開閉器スイッチ４００の投入動作によりインジケータ１３０が回転するとピン部１３１が傾斜部１５１を押圧して本体部１５３が下方に移動してプレート１１０に嵌められる。
【００４６】
ここで、上部板１７１と下部板１７５間には、本体部１４３に嵌められるようにバネなどの弾性部材１９０が備えられるが、移動防止部材１４０が下方に移動した状態でインジケータ１２０が逆方向に回転すると、弾性部材１９０の付勢力により元の位置への復帰が容易になる。これと同様に、上部板１８１と下部板１８５間には、本体部１５３に嵌められるようにバネなどの弾性部材２００が備えられるが、移動防止部材１５０が下方に移動した状態でインジケータ１３０が逆方向に回転すると、弾性部材２００の付勢力により元の位置への復帰が容易になる。
【００４７】
さらに、プレート１１０の上端には、複数の嵌合孔、例えば、本体部１４３が嵌められる嵌合孔１１３及び本体部１５３が嵌められる嵌合孔１１５が形成される。プレート１１０は、本体部１４３が嵌合孔１１３に嵌められてプレート１１０の移動が防止されると、一方の挿入孔３１０は開放されて他方の挿入孔４１０は閉鎖されるようにし、本体部１５３が嵌合孔１１５に嵌められてプレート１１０の移動が防止されると、一方の挿入孔３１０は閉鎖されて他方の挿入孔４１０は開放されるようにする。
【００４８】
さらに、プレート１１０には、開放孔１１１が形成されるが、本体部１４３が嵌合孔１１３に嵌められてプレート１１０の移動が防止されると、一方の挿入孔３１０は開放孔１１１が前方に位置することになって開放状態になると共に他方の挿入孔４１０はプレート１１０の一端が前方に位置することになって閉鎖状態になり、本体部１５３が嵌合孔１１５に嵌められてプレート１１０の移動が防止されると、一方の挿入孔３１０は閉鎖状態になると共に他方の挿入孔４１０は開放状態になる。
【００４９】
以下、図３〜図６を参照して本発明の一実施形態によるリングメインユニットのインターロック装置１００により複数の開閉器スイッチ３００、４００の状態調整を制御する過程について詳細に説明する。
【００５０】
まず、図３及び図４に示すように、開閉器スイッチ３００及び開閉器スイッチ４００が電源供給源に接続されていない状態で、使用者が把持部１１７を用いてプレート１１０を移動させることにより挿入孔３１０は開放状態、挿入孔４１０は閉鎖状態になるようにする。
【００５１】
このとき、挿入孔３１０は、前方に開放孔１１１が位置して開放されているので、ハンドルを挿入して開閉器スイッチ３００を投入状態又は遮断状態に調整できる状態にあり、挿入孔４１０は、プレート１１０により閉鎖されていてハンドルを挿入できないので、開閉器スイッチ４００を投入状態又は遮断状態に調整できない状態にある。
【００５２】
この状態で、挿入孔３１０にハンドルを挿入して回転させることで開閉器スイッチ３００が投入状態になるように調整すると、開閉器スイッチ３００に備えられたメカニズムが動作し、これに連動してメカニズムに接続されたインジケータ１２０が回転することにより、インジケータ１２０のピン部１２１が移動防止部材１４０を下方に押圧することになる。
【００５３】
それにより、移動防止部材１４０が下方に移動して嵌合孔１１３に嵌められ、プレート１１０の移動が防止される。
【００５４】
このようにプレート１１０の移動が防止されるので、プレート１１０により挿入孔４１０の閉鎖状態を変更することができない。すなわち、開閉器スイッチ３００の投入状態では、それに隣接する開閉器スイッチ４００の挿入孔４１０を用いた、開閉器スイッチ４００の投入状態への調整が防止される。
【００５５】
その後、図５及び図６に示すように、開閉器スイッチ３００が遮断状態に調整されて移動防止部材１４０が元の位置に復帰した状態で、使用者が把持部１１７を用いてプレート１１０を移動させることにより挿入孔３１０は閉鎖状態、挿入孔４１０は開放状態になるようにする。
【００５６】
この状態で、挿入孔４１０にハンドルを挿入して回転させることで開閉器スイッチ４００が投入状態になるように調整すると、開閉器スイッチ４００に備えられたメカニズムが動作し、これに連動してメカニズムに接続されたインジケータ１３０が回転することにより、インジケータ１３０のピン部１３１が移動防止部材１５０を下方に押圧することになる。
【００５７】
それにより、移動防止部材１５０が下方に移動して嵌合孔１１５に嵌められ、プレート１１０の移動が防止される。
【００５８】
このようにプレート１１０の移動が防止されるので、プレート１１０により挿入孔３１０の閉鎖状態を変更することができない。すなわち、開閉器スイッチ４００の投入状態では、それに隣接する開閉器スイッチ３００の挿入孔３１０を用いた、開閉器スイッチ３００の投入状態への調整が防止される。
【００５９】
前述したように構成されて動作する本発明によるリングメインユニットのインターロック装置１００においては、リングメインユニットに備えられた隣接する複数の開閉器スイッチ３００、４００間にインターロック装置１００を備え、１つの開閉器スイッチ３００が投入状態に調整されて電源供給源に接続された場合、それに隣接して配置された他の開閉器スイッチ４００は電源供給源に接続されないようにすることにより、複数の開閉器スイッチ３００、４００が同時に電源供給源に接続されることを防止する。
【００６０】
また、インターロック装置１００を用いて１つの開閉器スイッチのみ電源供給源に接続されるようにすることにより、複数の開閉器スイッチ３００、４００が電源供給源に接続されることによって発生するリングメインユニットの絶縁性能の低下や短絡事故の発生を効果的に防止する。
【００６１】
さらに、インターロック装置１００を用いて機械的に複数の開閉器スイッチ３００、４００が同時に電源供給源に接続されることを防止するので、従来のロック装置を用いた場合のように使用者の判断ミスにより複数の開閉器スイッチが同時に電源供給源に接続されることを未然に防止する。
【００６２】
さらに、インターロック装置１００に第１ガイド部材１６０及び第２ガイド部材２１０を備え、第１ガイド部材１６０及び第２ガイド部材２１０によりプレート１１０を移動させて各挿入孔３１０、４１０を開放又は閉鎖させることにより、開閉器スイッチ３００、４００の状態調整の制御が容易になるようにする。
【００６３】
さらに、プレート１１０に把持部１１７を形成し、把持部１１７を用いてプレート１１０を移動させることにより、プレート１１０の移動が容易になるようにする。
【００６４】
さらに、移動防止部材１４０、１５０に弾性部材１９０、２００を備えることにより、移動防止部材１４０、１５０の移動が容易になるようにする。
【００６５】
以上、本発明の好ましい一実施形態について説明したが、本発明は、様々な変化、変更及び均等物を用いることができ、上記実施形態を適切に変形して同様に応用できることは明らかである。よって、上記記載内容は特許請求の範囲により定義される本発明の範囲を限定するものではない。
【符号の説明】
【００６６】
１００    インターロック装置
１１０    プレート
１１１    開放孔
１１３、１１５    嵌合孔
１１７    把持部
１２０、１３０    インジケータ
１２１、１３１    ピン部
１４０、１５０    移動防止部材
１４１、１５１    傾斜部
１４３、１５３    本体部
１６０    第１ガイド部材
１６１    移動孔
１６３    第１ガイド孔
１７０、１８０    固定部材
１７１、１８１    上部板
１７１ａ、１８１ａ    上部板貫通孔
１７３、１８３    中心板
１７５、１８５    下部板
１７５ａ、１８５ａ    下部板貫通孔
１９０、２００    弾性部材
２１０    第２ガイド部材
２１１    第２ガイド孔
３００、４００    開閉器スイッチ
３１０、４１０    挿入孔
【図１】
0006353012.tif 000002
【図２】
0006353012.tif 000003
【図３】
0006353012.tif 000004
【図４】
0006353012.tif 000005
【図５】
0006353012.tif 000006
【図６】
0006353012.tif 000007
【図７】
0006353012.tif 000008